(57)【要約】【課題】録画再生装置においてインターネット接続機能をより高度に利用する。【解決手段】録画再生装置は、番組データを含む放送波を受信して、当該放送波に含まれる番組データを取得するチューナ１２３Ａ，１２３Ｂと、動画コンテンツを配信する動画配信装置にインターネットを介して接続され、当該動画配信装置から動画コンテンツを取得するインターネット接続部１２５と、チューナにより取得される番組データおよびインターネット接続部により取得される動画コンテンツを再生して表示する表示部１７と、チューナを用いて取得する番組データの予約を受け付けた場合に、インターネット接続部が当該予約された番組データに一致または関連する動画コンテンツを動画配信装置から取得し、表示部が当該取得された動画コンテンツを再生して表示するように制御する制御部１１１と、を備える。【選択図】図３
2008177870.tif 000002
【特許請求の範囲】
【請求項１】
番組データを含む放送波を受信して、当該放送波に含まれる番組データを取得するチューナと、
動画コンテンツを配信する動画配信装置にインターネットを介して接続され、当該動画配信装置から動画コンテンツを取得するインターネット接続部と、
前記チューナにより取得される番組データおよび前記インターネット接続部により取得される動画コンテンツを再生して画像を表示させる表示部と、
前記チューナを用いて取得する番組データの予約を受け付けた場合に、前記インターネット接続部が当該予約された番組データに一致または関連する動画コンテンツを前記動画配信装置から取得し、当該取得した動画コンテンツを前記表示部が再生して表示させるように制御する制御部と、
を備えることを特徴とする録画再生装置。
【請求項２】
前記制御部は、前記チューナを用いて取得する番組データの予約を受け付けて、当該予約された番組データの取得に失敗した場合に、前記インターネット接続部が当該予約された番組データに一致する動画コンテンツを前記動画配信装置から取得し、前記表示部が当該取得された動画コンテンツを再生して表示するように制御することを特徴とする請求項１に記載の録画再生装置。
【請求項３】
前記制御部は、前記チューナを用いて取得する番組データの予約を受け付けた場合に、前記インターネット接続部が当該予約された番組データに関連する動画コンテンツを前記動画配信装置から取得し、当該取得した動画コンテンツを前記表示部が再生して表示させるように制御することを特徴とする請求項１に記載の録画再生装置。
【請求項４】
前記制御部は、前記動画配信装置から配信可能な動画コンテンツの一覧情報を取得し、前記予約された番組データに一致または関連する動画コンテンツが当該コンテンツ一覧情報に含まれる場合に、前記インターネット接続部が当該予約された番組データに一致または関連する動画コンテンツを前記動画配信装置から取得し、当該取得した動画コンテンツを前記表示部に再生して表示させるように制御することを特徴とする請求項１〜３のいずれか１項に記載の録画再生装置。
【請求項５】
前記制御部は、前記予約された番組データに一致または関連する動画コンテンツを将来取得可能である場合には、当該動画コンテンツが将来取得可能であることを前記表示部が表示させるように制御することを特徴とする請求項１〜４のいずれか１項に記載の録画再生装置。
【請求項６】
前記制御部は、前記予約された番組データに一致または関連する動画コンテンツが前記動画配信装置から配信されておらず、前記一致または関連する動画コンテンツが収録されたディスク状記憶媒体をレンタル業者からレンタル可能である場合に、当該レンタル業者が運営するレンタル装置に前記インターネット接続部がアクセスするように制御することを特徴とする請求項１〜５のいずれか１項に記載の録画再生装置。
【請求項７】
前記制御部は、前記一致または関連する動画コンテンツが収録されたディスク状記憶媒体がレンタル業者から将来レンタル可能となる場合に、当該ディスク状記憶媒体が将来レンタル可能となることを前記表示部が表示するように制御することを特徴とする請求項６に記載の録画再生装置。
【請求項８】
前記制御部は、前記予約された番組データに一致または関連する動画コンテンツが前記動画配信装置から配信されておらず、前記予約された番組データに関連するチケットをチケット販売業者から購入可能である場合に、当該チケット販売業者が運営するチケット販売装置に前記インターネット接続部がアクセスするように制御することを特徴とする請求項１〜７のいずれか１項に記載の録画再生装置。
【請求項９】
前記予約された番組データに関連する動画コンテンツとは、前記番組データとタイトルが一致する動画コンテンツであることを特徴とする請求項１〜８のいずれか１項に記載の録画再生装置。
【発明の詳細な説明】
【技術分野】
【０００１】
本発明は、テレビ放送受信機能およびインターネット接続機能を有する録画再生装置に関する。
【背景技術】
【０００２】
テレビ放送を受信するためのテレビチューナが搭載されておりテレビ番組を視聴可能な録画再生装置には、インターネットに接続する機能を備えるものがある。このような録画再生装置の一例が、従来文献（特許文献１）に示されている。この従来文献の録画再生装置は、キーワードに基づいてインターネット上のテレビ番組情報を検索し、その検索結果を表示する。
【特許文献１】特開平１１−２６１９０８号公報
【発明の開示】
【発明が解決しようとする課題】
【０００３】
上述したようにテレビ放送受信機能およびインターネット接続機能を有する録画再生装置において、インターネット接続機能をより高度に利用することにより、録画再生装置をさらに高機能化する要求がある。例えば、ユーザが視聴や録画を設定した番組に関連する動画コンテンツが動画配信サイトから配信されている場合に、それを簡易な操作で視聴したいという要求がある。
【０００４】
本発明は、上記の課題を解決するためになされたもので、ユーザが視聴又は録画を設定した番組に一致又は関連する動画コンテンツをユーザに視聴させることの可能な録画再生装置を提供することを目的とする。
【課題を解決するための手段】
【０００５】
上述した目的を達成するために、本発明に係る録画再生装置は、番組データを含む放送波を受信して、当該放送波に含まれる番組データを取得するチューナと、動画コンテンツを配信する動画配信装置にインターネットを介して接続され、当該動画配信装置から動画コンテンツを取得するインターネット接続部と、チューナにより取得される番組データおよびインターネット接続部により取得される動画コンテンツを再生して画像を表示させる表示部と、チューナを用いて取得する番組データの予約を受け付けた場合に、インターネット接続部が当該予約された番組データに一致または関連する動画コンテンツを動画配信装置から取得し、当該取得した動画コンテンツを表示部が再生して表示させるように制御する制御部と、を備えることを特徴とする。
【発明の効果】
【０００６】
本発明によれば、ユーザが視聴又は録画を設定した番組に一致又は関連する動画コンテンツをユーザに視聴させることの可能な録画再生装置を提供することができる。
【発明を実施するための最良の形態】
【０００７】
以下、添付図面を参照して、本発明の好適な実施形態について詳細に説明する。なお、説明において、同一要素または同一機能を有する要素には、同一符号を用いることとし、重複する説明は省略する。
【０００８】
［録画再生装置の構成］
先ず、図１を参照して、本発明の実施形態に係る録画再生装置１０が置かれた環境について説明する。図１に示されるように、本実施形態に係る録画再生装置１０はインターネット１に接続されており、インターネット１を介して、動画配信サイト３、宅配型ＤＶＤレンタルサイト５、チケット販売サイト７などにアクセス可能となっている。
【０００９】
ここで、動画配信サイト３は、インターネット１を介して動画コンテンツを提供するサーバ装置が提供するウェブサイトである。録画再生装置１０が動画配信サイト３にアクセスすると、録画再生装置１０は、動画配信サイト３の動画配信申込み用画面をモニタ上に表示する。そして、録画再生装置１０のユーザが、動画配信申込み用画面において所望の動画の配信を申込むための入力を行うと、動画配信サイト３から録画再生装置１０に所望の動画コンテンツが配信される。録画再生装置１０は、動画配信サイト３から動画コンテンツの提供を受けると、その動画コンテンツを即時に再生してモニタ上に表示する。
【００１０】
また、宅配型ＤＶＤレンタルサイト５は、動画コンテンツが記録されたディスク状記憶媒体であるＤＶＤ（Digital Versatile Disk）をレンタルするためにサーバ装置が提供するウェブサイトである。録画再生装置１０が宅配型ＤＶＤレンタルサイト５にアクセスすると、録画再生装置１０は、宅配型ＤＶＤレンタルサイト５のレンタル申込み用画面をモニタ上に表示する。そして、録画再生装置１０のユーザが、レンタル申込み用画面において所望のＤＶＤの宅配を申込むための入力を行うと、宅配型ＤＶＤレンタルサイト５を運営するＤＶＤレンタル業者から所望のＤＶＤがユーザの元に配達される。
【００１１】
そして、チケット販売サイト７は、映画や演劇などのチケットを販売するためにサーバ装置が提供するウェブサイトである。録画再生装置１０がチケット販売サイト７にアクセスすると、録画再生装置１０は、チケット販売サイト７のチケット購入申込み用画面をモニタ上に表示する。そして、録画再生装置１０のユーザが、チケット購入申込み用画面において所望の映画や演劇などのチケットの購入を申込むための入力を行うと、チケット販売サイト７を運営するチケット販売業者から所望のチケットがユーザの元に配達される。
【００１２】
次に、図２および図３を参照して、本実施形態に係る録画再生装置１０の構成について説明する。この録画再生装置１０は、例えば、ノートブック型パーソナルコンピュータとして実現されている。
【００１３】
図２はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１５】
入力操作パネル１５は、押下されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生および記録を行うためのＴＶ機能を起動するためのボタンである。ＴＶ起動ボタン１５Ａがユーザによって押下された時、ＴＶ機能を実行するためのＴＶアプリケーションプログラムが自動的に起動される。
【００１６】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１７】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画を即座に行うことが出来る。
【００１８】
ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのビデオ再生アプリケーションプログラムが自動的に起動される。このビデオ再生アプリケーションプログラムも、副オペレーティングシステム上で動作するアプリケーションプログラムである。ＤＶＤ／ＣＤ起動ボタン１５Ｂがユーザによって押下された時は、主オペレーティングシステムではなく、副オペレーティングシステムが起動され、そしてビデオ再生アプリケーションプログラムが自動的に実行される。
【００１９】
次に、図３を参照して、本コンピュータ１０のシステム構成について説明する。
【００２０】
本コンピュータ１０は、図３に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、アナログＴＶチューナ１２３Ａ、デジタルＴＶチューナ１２３Ｂ、エンベデッドコントローラ／キーボードコントローラＩＣ（ＥＣ／ＫＢＣ）１２４、およびネットワークコントローラ１２５等を備えている。
【００２１】
ＣＰＵ１１１は本コンピュータ１０の動作を制御するために設けられたプロセッサであり、ハードディスクドライブ（ＨＤＤ）１２１から主メモリ１１３にロードされる、主オペレーティングシステム（主ＯＳ）／副オペレーティングシステム（副ＯＳ）、およびＴＶアプリケーションプログラム１０１のような各種アプリケーションプログラムを実行する。ＣＰＵ１１１および主メモリ１１３は、特許請求の範囲における制御部に相当する。
【００２２】
ＴＶアプリケーションプログラム１０１は、ＴＶチューナ１２３Ａ，１２３Ｂによって受信されたＴＶ放送番組データに含まれる映像データを高画質化するための機能を有している。また、ＴＶアプリケーションプログラム１０１は、後述する第１および第２の動画コンテンツ取得処理を実行する機能を有している。
【００２３】
ＴＶアプリケーションプログラム１０１によって高画質化された映像データは、表示ドライバ２０２を介してグラフィクスコントローラ１１４のビデオメモリ１１４Ａに書き込まれる。表示ドライバ２０２はグラフィクスコントローラ１１４を制御するためのソフトウェアである。
【００２４】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２５】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（AcceleratedGraphics Port）バスなどを介してグラフィクスコントローラ１１４との通信を実行する機能も有している。
【００２６】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２７】
サウスブリッジ１１９は、ＬＰＣ（Low Pin Count）バス上の各デバイス、およびＰＣＩ（Peripheral ComponentInterconnect）バス上の各デバイスを制御する。また、サウスブリッジ１１９は、ＨＤＤ１２１、ＯＤＤ１２２を制御するためのＩＤＥ（IntegratedDrive Electronics）コントローラを内蔵している。さらに、サウスブリッジ１１９は、ＴＶチューナ１２３Ａ，１２３Ｂを制御する機能、およびＢＩＯＳ−ＲＯＭ１２０をアクセス制御するための機能も有している。
【００２８】
ＨＤＤ１２１は、各種ソフトウェアおよびデータを格納する記憶装置である。光ディスクドライブ（ＯＤＤ）１２２は、ビデオコンテンツが格納されたＤＶＤ、ＣＤなどの記憶メディアを駆動するためのドライブユニットである。ＴＶチューナ１２３Ａ，１２３Ｂは、ＴＶ放送波を受信して、ＴＶ放送番組のような放送番組データを取得するための受信装置である。
【００２９】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ／ＣＤ起動ボタン１５Ｂの操作に応じて、本コンピュータ１０をパワーオンすることもできる。ネットワークコントローラ１２５は、例えばインターネットなどの外部ネットワークとの通信を実行する通信装置である。ネットワークコントローラ１２５は、特許請求の範囲におけるインターネット接続部に相当する。
【００３０】
［第１の動画コンテンツ取得処理］
次に、上述した録画再生装置１０により実施される第１の動画コンテンツ取得処理について説明する。図４、図５および図６に、第１の動画コンテンツ取得処理のフローチャートを示す。
【００３１】
図４は、第１の動画コンテンツ取得処理の概略的なフローチャートが示している。先ず、ユーザがキーボード１３およびタッチパッド１６を用いて所望の番組の視聴予約または録画予約を設定する操作を行うと、ＣＰＵ１１１はＨＤＤ１２１に予約設定情報（番組詳細情報、放送チャネル情報、放送開始時刻、放送終了時刻、等）を記憶する（Ｓ４０１）。ＣＰＵ１１１は、予約した番組の放送時間帯が経過した後に、予約されたとおりに視聴または録画が行われたか、または、予約された視聴または録画に失敗したか否かを判定する（Ｓ４０２）。なお、視聴または録画の失敗は、例えば、同時間帯の重複予約やアンテナの接続不良などを原因として発生し得る。
【００３２】
予約されたとおりに視聴または録画が行われた場合には、ＣＰＵ１１１は、そのまま処理を終了する。一方、予約された視聴または録画に失敗した場合には、ＣＰＵ１１１は、視聴または録画に失敗した番組の詳細情報をＨＤＤ１２１から読み出す（Ｓ４０３）。ここで、番組詳細情報とは、視聴または録画に失敗した番組を特定する情報であり、例えば、番組のタイトルやＩＤ（識別情報）などである。特に、視聴または録画に失敗した番組が、複数回に分けて放送される連続番組である場合には、その連続番組のタイトルおよびシリーズＩＤに加えて、各放送回ごとのサブタイトルおよび個別ＩＤである。
【００３３】
視聴または録画の失敗に対処するために、ＣＰＵ１１１は動画配信サイト３にアクセスして、番組詳細情報に一致する動画コンテンツの提供を受けるための処理を行う（Ｓ４０４）。ＣＰＵ１１１は、動画配信サイト３から動画コンテンツを取得できない場合には、さらに宅配型ＤＶＤレンタルサイト５にアクセスする（Ｓ４０５）。ステップ４０４およびステップ４０５の処理については、図５および図６を参照してより詳しく説明する。
【００３４】
図５は、図４のステップ４０４の処理のフローチャートを示している。ＣＰＵ１１１は、ネットワークコントローラ１２５に動画配信サイト３と通信させて、動画配信サイト３よりコンテンツ一覧情報を取得する（Ｓ５０１）。ここで、コンテンツ一覧情報とは、動画配信サイト３が配信可能な動画コンテンツの一覧情報である。
【００３５】
ＣＰＵ１１１は、コンテンツ一覧情報を検索して、番組詳細情報に完全一致する動画コンテンツが動画配信サイト３より配信されているか否かを判定する（Ｓ５０２）。ＣＰＵ１１１は、番組詳細情報に完全一致する動画コンテンツが配信されている場合には、その動画コンテンツの提供を受けて、その動画コンテンツを再生してＬＣＤ１７上に表示する（Ｓ５０３）。これにより、ユーザは、視聴または録画に失敗した番組を視聴することができる。その後、ＣＰＵ１１１は処理を終了する。
【００３６】
一方、番組詳細情報に完全一致する動画コンテンツが配信されていない場合には、ＣＰＵ１１１は、番組詳細情報に完全一致する動画コンテンツが動画配信サイト３より将来配信されるか否かを判定する（Ｓ５０４）。ＣＰＵ１１１は、番組詳細情報に完全一致する動画コンテンツが将来配信される場合には、その動画コンテンツが将来配信される旨および配信される日時を、ＬＣＤ１７上に表示する（Ｓ５０５）。
【００３７】
図６は、図４のステップ４０５の処理のフローチャートを示している。ＣＰＵ１１１は、ネットワークコントローラ１２５に宅配型ＤＶＤレンタルサイト５と通信させて、宅配型ＤＶＤレンタルサイト５よりコンテンツ一覧情報を取得する（Ｓ６０１）。ここで、コンテンツ一覧情報とは、宅配型ＤＶＤレンタルサイト５を運営するレンタル業者よりレンタル可能なＤＶＤの一覧情報である。
【００３８】
ＣＰＵ１１１は、コンテンツ一覧情報を検索して、番組詳細情報に完全一致する動画コンテンツを収録したＤＶＤが宅配型ＤＶＤレンタルサイト５よりレンタル可能であるか否かを判定する（Ｓ６０２）。番組詳細情報に完全一致するＤＶＤがレンタル可能である場合には、ＣＰＵ１１１は、宅配型ＤＶＤレンタルサイト５のレンタル申込み用画面をＬＣＤ１７上に表示する（Ｓ６０３）。このレンタル申込み用画面において、ユーザがキーボード１３およびタッチパッド１６を用いて番組詳細情報に完全一致するＤＶＤのレンタルを申込むための入力を行うことにより、レンタル業者からユーザにそのＤＶＤが配達される。その後、ＣＰＵ１１１は処理を終了する。
【００３９】
一方、番組詳細情報に完全一致するＤＶＤがレンタル可能でない場合には、ＣＰＵ１１１は、番組詳細情報に完全一致するＤＶＤが将来レンタル可能となるか否かを判定する（Ｓ６０４）。ＣＰＵ１１１は、番組詳細情報に完全一致するＤＶＤが将来レンタル可能となる場合には、そのＤＶＤが将来レンタル可能となる旨およびレンタル可能となる日時を、ＬＣＤ１７上に表示する（Ｓ６０５）。
【００４０】
［第２の動画コンテンツ取得処理］
次に、上述した録画再生装置１０により実施される第２の動画コンテンツ取得処理について説明する。図７、図８、図９および図１０に、第２の動画コンテンツ取得処理のフローチャートを示す。
【００４１】
図７は、第２の動画コンテンツ取得処理の概略的なフローチャートを示す。先ず、ユーザがキーボード１３およびタッチパッド１６を用いて所望の番組の視聴予約または録画予約を設定する操作を行うと、ＣＰＵ１１１はＨＤＤ１２１に予約設定情報（番組詳細情報、放送チャネル情報、放送開始時刻、放送終了時刻、等）を記憶する（Ｓ７０１）。ＣＰＵ１１１は、視聴または録画に失敗した番組の詳細情報をＨＤＤ１２１から読み出す（Ｓ７０２）。前述したように、番組詳細情報とは、視聴または録画を予約した番組を特定する情報であり、例えば、番組のタイトルやＩＤ（識別情報）などである。特に、視聴または録画に失敗した番組が、複数回に分けて放送される連続番組である場合には、その連続番組のタイトルおよびシリーズＩＤに加えて、各放送回ごとのサブタイトルおよび個別ＩＤである。
【００４２】
視聴または録画を予約した番組に関連する動画コンテンツ（例えば、タイトルが同じで放送回が異なる動画コンテンツ）を取得するために、ＣＰＵ１１１は動画配信サイト３にアクセスして、番組詳細情報に関連する動画コンテンツの提供を受けるための処理を行う（Ｓ７０３）。ＣＰＵ１１１は、動画配信サイト３から動画コンテンツを取得できない場合には、さらに宅配型ＤＶＤレンタルサイト５およびチケット販売サイト７にアクセスする（Ｓ７０４、Ｓ７０５）。ステップ７０３、ステップ７０４およびステップ７０５の処理については、図８、図９および図１０を参照してより詳しく説明する。
【００４３】
図８は、図７のステップ７０３の処理のフローチャートを示す。ＣＰＵ１１１は、ネットワークコントローラ１２５に動画配信サイト３と通信させて、動画配信サイト３よりコンテンツ一覧情報を取得する（Ｓ８０１）。ここで、コンテンツ一覧情報とは、動画配信サイト３より配信可能な動画コンテンツの一覧情報である。
【００４４】
ＣＰＵ１１１は、コンテンツ一覧情報を検索して、番組詳細情報に関連する動画コンテンツが動画配信サイト３より配信されているか否かを判定する（Ｓ８０２）。ここで、番組詳細情報に関連する動画コンテンツとは、例えば、タイトルが番組詳細情報に含まれるタイトルと前方一致する動画コンテンツや、番組詳細情報に含まれるシリーズＩＤと一致する動画コンテンツである。言い換えれば、番組詳細情報に関連する動画コンテンツとは、例えば、番組詳細情報により特定される番組とタイトルが同じで放送回が異なる動画コンテンツや、番組詳細情報により特定される番組の映画版である。ＣＰＵ１１１は、番組詳細情報に関連する動画コンテンツが配信されている場合には、その動画コンテンツの提供を受けて、その動画コンテンツを再生してＬＣＤ１７上に表示する（Ｓ８０３）。これにより、ユーザは、視聴または録画を予約した番組と関連する動画コンテンツを視聴することができる。その後、ＣＰＵ１１１は処理を終了する。
【００４５】
一方、番組詳細情報に関連する動画コンテンツが配信されていない場合には、ＣＰＵ１１１は、番組詳細情報に関連する動画コンテンツが動画配信サイト３より将来配信されるか否かを判定する（Ｓ８０４）。ＣＰＵ１１１は、番組詳細情報に関連する動画コンテンツが将来配信される場合には、その動画コンテンツが将来配信される旨および配信される日時を、ＬＣＤ１７上に表示する（Ｓ８０５）。
【００４６】
図９は、図７のステップ７０４の処理のフローチャートを示している。ＣＰＵ１１１は、ネットワークコントローラ１２５に宅配型ＤＶＤレンタルサイト５と通信させて、宅配型ＤＶＤレンタルサイト５よりコンテンツ一覧情報を取得する（Ｓ９０１）。ここで、コンテンツ一覧情報とは、宅配型ＤＶＤレンタルサイト５を運営するレンタル業者よりレンタル可能なＤＶＤの一覧情報である。
【００４７】
ＣＰＵ１１１は、コンテンツ一覧情報を検索して、番組詳細情報に関連する動画コンテンツを収録したＤＶＤが宅配型ＤＶＤレンタルサイト５よりレンタル可能であるか否かを判定する（Ｓ９０２）。番組詳細情報に関連するＤＶＤがレンタル可能である場合には、ＣＰＵ１１１は、宅配型ＤＶＤレンタルサイト５のレンタル申込み用画面をＬＣＤ１７上に表示する（Ｓ９０３）。このレンタル申込み用画面において、ユーザがキーボード１３およびタッチパッド１６を用いて番組詳細情報に関連するＤＶＤのレンタルを申込むための入力を行うことにより、レンタル業者からユーザにそのＤＶＤが配達される。その後、ＣＰＵ１１１は処理を終了する。
【００４８】
一方、番組詳細情報に関連するＤＶＤがレンタル可能でない場合には、ＣＰＵ１１１は、番組詳細情報に関連するＤＶＤが将来レンタル可能となるか否かを判定する（Ｓ９０４）。ＣＰＵ１１１は、番組詳細情報に関連するＤＶＤが将来レンタル可能となる場合には、そのＤＶＤが将来レンタル可能となる旨およびレンタル可能となる日時を、ＬＣＤ１７上に表示する（Ｓ９０５）。
【００４９】
図１０は、図７のステップ７０５の処理のフローチャートを示している。ＣＰＵ１１１は、ネットワークコントローラ１２５にチケット販売サイト７と通信させて、チケット販売サイト７よりコンテンツ一覧情報を取得する（Ｓ１００１）。ここで、コンテンツ一覧情報とは、チケット販売サイト７を運営するチケット販売業者より購入可能なチケットの一覧情報である。
【００５０】
ＣＰＵ１１１は、コンテンツ一覧情報を検索して、番組詳細情報に関連する映画や演劇などのチケットがチケット販売サイト７で購入可能か否かを判定する（Ｓ１００２）。番組詳細情報に関連するチケットが購入可能である場合には、ＣＰＵ１１１は、チケット販売サイト７のチケット購入用画面をＬＣＤ１７上に表示する（Ｓ１００３）。このチケット購入用画面において、ユーザがキーボード１３およびタッチパッド１６を用いて番組詳細情報に関連する映画や演劇のチケットを購入するための入力を行うことにより、チケット販売業者からユーザにそのチケットが配達される。その後、ＣＰＵ１１１は処理を終了する。
【００５１】
一方、番組詳細情報に関連するチケットが購入可能でない場合には、ＣＰＵ１１１は、番組詳細情報に関連するチケットが将来購入可能となるか否かを判定する（Ｓ１００４）。ＣＰＵ１１１は、番組詳細情報に関連するチケットが将来購入可能となる場合には、そのチケットが将来購入可能となる旨および購入可能となる日時を、ＬＣＤ１７上に表示する（Ｓ１００５）。
【図面の簡単な説明】
【００５２】
【図１】本実施形態の録画再生装置が置かれたネットワーク環境を示す概略図である。
【図２】本実施形態の録画再生装置の外観を示す斜視図である。
【図３】本実施形態の録画再生装置の内部構成を示すブロック図である。
【図４】第１の動画コンテンツ取得処理を示すフローチャートである。
【図５】図４のステップ４０４の処理を示すフローチャートである。
【図６】図４のステップ４０５の処理を示すフローチャートである。
【図７】第２の動画コンテンツ取得処理を示すフローチャートである。
【図８】図７のステップ７０３の処理を示すフローチャートである。
【図９】図７のステップ７０４の処理を示すフローチャートである。
【図１０】図７のステップ７０５の処理を示すフローチャートである。
【符号の説明】
【００５３】
１…インターネット、３…動画配信サイト、５…ＤＶＤレンタルサイト、７…チケット販売サイト、１０…録画再生装置、１３…キーボード、１６…タッチパッド、１７…ＬＣＤ、１１１…ＣＰＵ、１１２…ノースブリッジ、１１３…メインメモリ、１１４…グラフィックスコントローラ、１１９…サウスブリッジ、１２０…ＢＩＯＳ‐ＲＯＭ、１２１…ＨＤＤ、１２２…ＯＤＤ、１２３Ａ…アナログＴＶチューナ、１２３Ｂ…デジタルＴＶチューナ、１２４…ＥＣ／ＫＢＣ、１２５…ネットワークコントローラ、１２６…ＢＡＴＴ、１２７…ＡＣアダプタ。
【図１】
2008177870.tif 000003
【図２】
2008177870.tif 000004
【図３】
2008177870.tif 000005
【図４】
2008177870.tif 000006
【図５】
2008177870.tif 000007
【図６】
2008177870.tif 000008
【図７】
2008177870.tif 000009
【図８】
2008177870.tif 000010
【図９】
2008177870.tif 000011
【図１０】
2008177870.tif 000012